【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】
それぞれが一定の価値を有した一つ以上の割引金申込みを満たした消費者により提出された製品販売用割引金請求を処理する方法において、前記消費者は一つ以上の有効な取引で一つ以上の指定された製品を購入しており、各有効な取引には一つの取引コードが割り当てられており、
前記方法は、
（ａ）コンピュータ情報ネットワークに接続され、前記消費者にアクセス可能な指定されたサイトを提供するステップと、
（ｂ）前記指定されたサイトで前記割引金請求を受け取り、ここで前記割引金請求は、（ｉ）有効な取引に対応する少なくとも一つの取引コードと、（ｉｉ）前記消費者に対応する識別情報と、を有するステップと、
（ｃ）保存されたデータ記録として、前記少なくとも一つの取引コードと前記消費者に対応する前記識別情報を保存するステップと、
（ｄ）少なくとも一つの（ｉ）指定された製品が前記消費者により購入された前記有効な取引に対応する前記取引コードと、（ｉｉ）前記消費者により購入された各指定された製品ごとの識別と、を有した少なくとも一つの購買データ記録を含む電子ファイル伝送を受け取るステップと、
（ｅ）各保存されたデータ記録を、同一の取引コードを有した対応する購買データ記録と関連付けるステップと、
（ｆ）前記保存されたデータ記録と関連付けられた前記対応する購買データ記録を処理して前記割引金請求を確認するステップと、
（ｇ）請求された前記割引金申込みの前記価値を前記消費者に送金するステップと、から構成されることを特徴とする方法。
【請求項２】
請求項１に記載の方法において、前記ステップ（ａ）は、前記消費者にアクセス可能な前記指定されたサイトを、前記コンピュータ情報ネットワークに接続されたコンピュータ、前記指定されたサイトに接続し、電話で指定された電話番号を発呼することによりアクセス可能なコンピュータによる電話応答システム、またはそれらの組み合わせにより提供するステップを含むことを特徴とする方法。
【請求項３】
請求項１に記載の方法において、前記指定されたサイトで前記割引金請求を受け取る前記ステップ（ｂ）は、
前記指定されたサイトに、前記コンピュータ情報ネットワークに接続された個人のコンピュータを介してアクセスする前記消費者、
前記指定されたサイトに、前記コンピュータ情報ネットワークに接続された小売店に配置されたコンピュータを介してアクセスする前記消費者、
前記指定されたサイトに、プッシュホン電話を介してアクセスする前記消費者、前記消費者により紙フォーマットで提出された割引金請求から転記された情報により送金管理者、あるいは
上記の組み合わせ、
のいずれかの一つにより入力された割引金請求を受け取るステップを含むことを特徴とする方法。
【請求項４】
請求項１に記載の方法において、前記ステップ（ｇ）は、前記割引金の価値を前記消費者に小切手の形式で送金するステップを含むことを特徴とする方法。
【請求項５】
請求項１に記載の方法において、前記ステップ（ｇ）は、前記割引金の価値を前記消費者に、
（ｉ）スマートカードへの入金、
（ｉｉ）銀行アカウントまたはクレジットカードへの入金、あるいは
（ｉｉｉ）小売業者ネットワークの加盟店で換金可能な金券、
のいずれか一つの形式により送金するステップを含むことを特徴とする方法。
【請求項６】
請求項１に記載の方法において、前記指定されたサイトで前記割引金請求を受け取る前記ステップ（ｂ）は、前記指定されたサイトにアクセスしている間に前記消費者により入力された情報を受け取るステップを含み、前記ステップ（ｂ）はさらに、
前記消費者が前記指定されたサイトにアクセスしている間に、
（１）直ちに前記ステップ（ｆ）に進む、あるいは
（２）消費者から処理を進める指示が来る、または有効期限が切れる、のいずれかまで前記ステップ（ｆ）を遅らせる、かの選択を消費者にインタラクティブに促すステップを含むことを特徴とする方法。
【請求項７】
請求項６に記載の方法において、前記ステップ（ｂ）で、前記有効期限が切れるまで前記ステップ（ｆ）を遅らせる、を前記消費者が選択し、前記有効期限が切れるまで前記ステップ（ｂ）と前記ステップ（ｃ）が繰り返された場合、続くステップ（ｂ）は、前記指定されたサイトで追加の有効な取引に対応する追加の取引コードを受け取るステップを含み、続くステップ（ｃ）は、前記保存されたデータ記録を、前記追加の取引コードを含むように修正するステップを含むことを特徴とする方法。
【請求項８】
請求項７に記載の方法において、前記続くステップ（ｂ）は、前のステップ（ｂ）で受け取った前記識別情報の一部のみを受け取り、前記受け取った識別情報の一部に基づいて前のステップ（ｃ）で保存された前記保存されたデータ記録から前記消費者を識別するステップを含むことを特徴とする方法。
【請求項９】
請求項７に記載の方法において、前記ステップ（ｂ）で前記消費者は前記有効期限が終了するまで待つことを選択し、前記ステップ（ｆ）と前記ステップ（ｇ）は有効期限が切れてから実行されることを特徴とする方法。
【請求項１０】
請求項１に記載の方法はさらに、
（ｈ）各消費者に関するマーケティング記録を編集するステップを含み、前記マーケティング記録は消費者に関する識別情報と、前記ステップ（ａ）で受け取った、取引コードに対応する前記有効な取引の購買データ記録から導き出された一つ以上の消費者の購買嗜好を含み、
前記方法はさらに、前記マーケティング記録をマーケティングエージェントに提供するステップを含むことを特徴とする方法。
【請求項１１】
請求項１に記載の方法において、前記消費者は前記一つ以上の指定された製品をスマートカードを使用して購入し、前記スマートカードは、スマートカード識別子と取引コードをコンピュータデータとして保存したコンピュータデータ保存手段を有し、
前記ステップ（ｂ）は、前記指定されたサイトで、スマートカードリーダーを使用して前記消費者により入力された前記割引金請求を受け取り、前記スマートカードからカードリーダーに前記カード識別子と前記保存された取引コードとを自動的にダウンロードするステップを含み、前記カード識別子は前記識別情報を含み、
前記ステップ（ｇ）は、前記スマートカードに入金をすることにより、前記割引金請求の前記価値を前記消費者に送金するステップを含むことを特徴とする方法。
【請求項１２】
請求項１に記載の方法において、前記コンピュータ情報ネットワークはグローバルコンピュータ情報ネットワークであることを特徴とする方法。
【請求項１３】
それぞれが一定の価値を有した複数の割引金申込みを満たした複数の消費者により提出された複数の製品販売用割引金請求を処理する方法において、
各消費者は一つ以上の有効な取引で一つ以上の指定された製品を購入しており、各有効な取引には一つの取引コードが割り当てられており、
前記方法は、
（ａ）コンピュータ情報ネットワークに接続され、複数の消費者にアクセス可能な指定されたサイトを提供するステップと、
（ｂ）前記指定されたサイトで複数の割引金請求を受け取るステップと、
ここで各割引金請求は、
（ｉ）一つ以上の有効な取引に対応する少なくとも一つの取引コードと、
（ｉｉ）前記消費者に対応する識別情報と、を有し、
少なくとも一つの割引金請求は、前記消費者により紙フォーマットで提出された割引金請求から転記された情報から送金管理者により入力されており、
少なくとも一つの割引金請求は、
前記指定されたサイトに、前記グローバルコンピュータ情報ネットワークに接続された個人のコンピュータを介してアクセスする前記消費者、
前記指定されたサイトに、前記グローバルコンピュータ情報ネットワークに接続された小売店に配置されたコンピュータを介してアクセスする前記消費者、または
前記指定されたサイトに、電話を介してアクセスする前記消費者、のいずれかにより入力されており、
（ｃ）複数の保存されたデータ記録を保存するステップと、ここで各保存されたデータ記録は、一人の消費者に対応する前記識別情報と、その消費者からの割引金請求に関連する少なくとも一つの取引コードを有し、
（ｄ）複数の購買データ記録を含む電子ファイル伝送を受信するステップと、ここで各購買データ記録は、少なくとも一つの（ｉ）消費者により少なくとも一つの指定された製品が購入された有効な取引に対応する取引コードと、（ｉｉ）前記有効な取引で前記消費者により購入された各指定された製品ごとの識別を有し、
（ｅ）各保存されたデータ記録ごとに、同一の取引コードを有した対応する購買データ記録を関連付けるステップと、
（ｆ）各保存されたデータ記録と関連付けられた対応する購買データ記録を処理して前記割引金請求を確認するステップと、
（ｇ）前記消費者により請求された前記割引金申込みの前記価値を前記複数の消費者に送金するステップと、から構成されることを特徴とする方法。
【請求項１４】
請求項１３に記載の方法において、
前記ステップ（ｂ）は、前記一つ以上の指定された製品を指定されたカードを使用して購入した、カード識別子を有した、カード消費者から少なくとも一つの割引金請求を受け取るステップを含み、ここで、前記指定されたカードは、対応するクレジットアカウントを有したクレジットカード、対応する銀行アカウントまたはデビットアカウントを有したデビットカード、またはコンピュータデータ保存手段を有したスマートカードのいずれか一つを含み、
前記ステップ（ｃ）は、前記指定されたカード識別子により検索可能な、前記指定されたカード消費者に関する個人情報を有した少なくとも一つの指定されたカード保存データ記録を保存するステップを含み、
前記ステップ（ｄ）は、前記一つ以上の指定された製品が前記指定されたカード消費者により前記指定されたカードを使用して購入された前記有効な取引の対応する取引コードと前記指定されたカード識別子と、を含む、少なくとも一つの取引データ記録を前記電子ファイル伝送で受け取るステップを含み、
前記ステップ（ｅ）はさらに、前記送金管理者が前記取引データ記録を前記対応する指定されたカード保存データ記録と関連付け、前記取引コードを含むように前記指定されたカード保存記録を更新するステップを含み、
前記ステップ（ｇ）は、前記送金管理者が、対応するクレジットアカウント、対応する銀行アカウントまたはデビットアカウント、またはスマートカードのコンピュータデータ保存手段のいずれかにより、前記割引金請求の前記価値を前記指定されたカード消費者に送金するステップを含むことを特徴とする方法。
【請求項１５】
それぞれが一定の価値を有した一つ以上の割引金申込みを満たした消費者により提出された製品販売用割引金請求を処理する方法において、
前記方法は、
（ａ）少なくとも一人の消費者による少なくとも一つの有効な取引を処理するステップと、ここで各有効な取引は、一つ以上の指定された製品の前記消費者による購買を含み、
（ｂ）各有効な取引に取引コードを一つずつ割り当て、前記取引コードをデータ処理および保存システムに記録し、前記取引コードをレシートに記録し、前記レシートを前記消費者に発行するステップと、
（ｃ）コンピュータ情報ネットワークに接続した指定されたサイトに対応するアクセス情報を前記消費者に提供し、一つ以上の割引金請求を前記指定されたサイトで入力する、前記消費者に割引金を提供することを同意するステップと、ここで各割引金請求は
（ｉ）有効な取引に対応する少なくとも一つの取引コードと、
（ｉｉ）前記消費者に対応する識別情報と、を有し、
（ｄ）少なくとも一つの（ｉ）少なくとも一つの指定された製品が前記消費者により購入された前記有効な取引に対応する前記取引コードと、（ｉｉ）前記消費者により購入された指定された製品ごとの識別と、を有した少なくとも一つの購買データ記録を含む電子ファイル伝送を提供するステップと、
（ｅ）前記指定されたサイトに入力された割引金請求の前記取引コードが前記購買データ記録の前記取引コードと一致し、前記割引金請求が確認された後に前記消費者に前記割引金請求の価値を提供するステップと、から構成されることを特徴とする方法。
【請求項１６】
請求項１５に記載の方法において、前記ステップ（ａ）は、さらに、前記有効な取引で前記消費者により購入された割引金申込みを有した前記一つ以上の指定された製品の専用の会計を有する前記消費者に前記レシートを発行するステップを含むことを特徴とする方法。
【請求項１７】
請求項１６に記載の方法において、前記ステップ（ａ）は、さらに前記消費者に一次レシートと二次レシートを発行するステップを含み、ここで前記二次レシートは基本的に、（ｉ）前記有効な取引の前記取引コードの記録と、割引金申込みを有した指定された製品のみの専用会計、および（ｉｉ）一次レシートは、前記有効な取引で前記消費者によるすべての購入の会計を含むことを特徴とする方法。
【請求項１８】
それぞれが一定の価値を有した一つ以上の割引金申込みを満たした消費者により提出された製品販売用割引金請求を処理する方法において、
前記方法は、
（ａ）有効な取引で一つ以上の指定された製品の購買を記録し、前記有効な取引に対応する取引コードを割り当て、少なくとも一つの（ｉ）前記有効な取引に対応する取引コードと、（ｉｉ）前記消費者により購買された指定された製品ごとの識別と、を含む少なくとも一つの購買データ記録を作成するステップと、
（ｂ）前記消費者によりアクセス可能な、コンピュータ情報ネットワークに接続した指定されたサイトを提供するステップと、
（ｃ）指定されたサイトで、前記割引金請求を受け取るステップと、ここで前記割引金請求は、（ｉ）前記有効な取引に対応する一つの取引コードと、（ｉｉ）前記消費者に対応する識別情報と、を有し、
（ｄ）保存されたデータ記録として前記取引コードを前記識別情報と関連付けて保存するステップと、
（ｅ）前記保存されたデータ記録を、同じ取引コードを有する前記購買データ記録と関連付けるステップと、
（ｆ）前記購買データ記録と前記関連する保存されたデータ記録を処理して前記割引金請求を確認するステップと、
（ｈ）前記消費者に請求された前記割引金申込みの前記価値を送金するステップと、から構成されることを特徴とする方法。
【請求項１９】
一つ以上の割引金申込みを満たした消費者により提出された製品販売用割引金請求を処理する方法において、各割引金申込みは、指定された製品の購買の見返りに価値を提供する申込みから構成され、前記消費者は、クレジットカード、デビットカード、またはスマートカードのいずれか一つからなる、カード識別子を有した指定されたカードを使用して小売業者ネットワークの加盟店から一つ以上の指定された製品を有効な取引で購入しており、各有効な取引は記録され、対応する取引コードが割り当てられており、
前記方法は、
（ａ）少なくとも（ｉ）前記取引コードと、（ｉｉ）前記指定されたカード識別子と、および（ｉｉｉ）前記消費者により購入された製品のリスト、を含む購買データ記録の電子ファイル伝送を受け取るステップと、
（ｂ）前記購買データ記録を、前記指定されたカード識別子と前記消費者に関する個人情報を含む対応する保存されたデータ記録と関連付けるステップと、
（ｃ）前記購買データ記録と対応する保存されたデータ記録を処理して前記割引金請求を確認するステップと、
（ｄ）前記指定されたカードに請求された前記割引金申込みの前記価値を入金するステップと、から構成されることを特徴とする方法。
【請求項２０】
請求項１９に記載の方法において、前記ステップ（ｂ）は、前記取引コードを前記保存されたデータ記録に追加することにより、前記保存されたデータ記録を更新するステップを含むことを特徴とする方法。
【請求項２１】
それぞれが一定の価値を有した一つ以上の割引金申込みを満たした消費者により提出された製品販売用割引金請求を処理する方法において、前記消費者は一つ以上の有効な取引で一つ以上の指定された製品を購買しており、各有効な取引は一つの割り当てられた取引コードを有しており、
前記方法は、
（ａ）消費者が、決められた電話番号に発呼することによりアクセス可能なインタラクティブなコンピュータ電話処理システムを提供するステップと、
（ｂ）前記割引金請求を前記インタラクティブなコンピュータ電話処理システムを介して受け取るステップと、ここで前記割引金申込みは（ｉ）有効な取引に対応する少なくとも一つの取引コードと、（ｉｉ）前記消費者に対応する識別情報とを含み、
（ｃ）保存されたデータ記録として前記少なくとも一つの取引コードと前記消費者に対応する前記識別情報を保存するステップと、
（ｄ）少なくとも一つの（ｉ）少なくとも一つの指定された製品を前記消費者により購入された前記有効な取引に対応する前記取引コードと、（ｉｉ）前記消費者により購入された各指定された製品の識別からなる、少なくとも一つの購買データ記録を含む電子ファイル伝送を受け取るステップと、
（ｅ）各保存されたデータ記録を、同一の取引コードを有した対応する購買データ記録と関連付けるステップと、
（ｆ）保存されたデータ記録と、それに関連付けられた対応する購買データ記録を処理して前記割引金請求を確認するステップと、
（ｇ）請求された前記割引金申込みの前記価値を前記消費者に送金するステップと、から構成されることを特徴とする方法。
【請求項２２】
複数の割引金申込みを満たした複数の消費者により提出された複数の製品販売用割引金請求を処理するシステムにおいて、各割引金申込みは、指定された製品の購買の見返りに一定の価値を提供する申込みから構成され、各消費者は有効な取引で一つ以上の指定された製品を購買しており、
前記システムは、
複数の消費者から割引金請求データを電子フォーマットで受け取る手段と、各消費者に関する前記割引金請求データは、少なくとも一つの取引コードと消費者識別子を含み、
前記割引金請求データを保存されたデータ記録として保存し、前記電子ファイルを受けとって保存する手段と、
電子ファイル伝送を受け取る手段と、前記電子ファイルは、各有効な取引に関する購買データ記録を含み、各購買データ記録は、少なくとも一つの取引コードを含み、
各保存されたデータ記録を、同一の取引コードを有した対応する購買データ記録と関連付け、各保存されたデータ記録と対応する購買データ記録を処理して各割引金請求を確認し、オプションで、各確認された割引金請求の不正チェックを行う手段と、
前記割引金請求の価値を各消費者に送金する手段と、から構成されることを特徴とするシステム。
【請求項２３】
請求項２２に記載のシステムはさらに、消費者による購買を処理し、各有効な取引に取引コードを割り当て、各消費者に前記取引コードの記録を含む手段を発行する手段と、
前記電子ファイルを前記電子ファイルを受け取る手段に伝送する手段と、から構成されることを特徴とするシステム。
【請求項２４】
請求項２２に記載のシステムにおいて、前記割引金請求データを電子フォーマットで受け取る手段は、
グローバルコンピュータ情報ネットワークに接続され、前記消費者に前記グローバルコンピュータ情報ネットワークを介してアクセス可能な指定されたサイト、または前記消費者に指定された電話番号でアクセス可能なインタラクティブなコンピュータ電話処理システム、のいずれか一つを含むことを特徴とするシステム。
【請求項２５】
請求項２４に記載のシステムはさらに、前記消費者が使用可能で、前記指定されたサイトに前記グローバル情報ネットワーク上でアクセスを行う少なくとも一つのコンピュータを含むことを特徴とするシステム。
【請求項２６】
請求項２５に記載のシステムにおいて、前記消費者が使用可能な前記コンピュータは、前記消費者の住居、前記消費者の仕事場、または加盟店が運営する場所、のいずれかに位置することを特徴とするシステム。
【請求項２７】
請求項２２に記載のシステムはさらに、前記消費者が使用可能で、前記指定されたサイトに前記グローバルコンピュータ情報ネットワークでアクセスする少なくとも一つの電話を含み、前記指定されたサイトは、前記消費者により前記電話を介して提供される前記割引金請求データを受け取ることを特徴とするシステム。
【請求項２８】
請求項２２に記載のシステムにおいて、前記割引金請求の価値を送金する手段は、前記消費者に郵送する小切手を含むことを特徴とするシステム。
【請求項２９】
請求項２２に記載のシステムにおいて、前記割引金請求の価値を送金する手段は、デビットまたはクレジットの少なくとも一つの形式の現金のコンピュータ情報を保存するコンピュータが読み出し可能な保存手段を有したスマートカードと、クレジットの形式のクレジットの情報をコンピュータが読み出し可能な保存手段に保存することが可能なカードライターと、を含むことを特徴とするシステム。
【請求項３０】
請求項２２に記載のシステムはさらに、
前記割引金請求データを紙フォーマットで提供する手段と、
前記紙フォーマットの前記割引金請求データを受け取り、前記紙フォーマットの前記割引金請求データを電子フォーマットの割引金請求データに変換し、前記電子フォーマットの割引金請求データを前記指定されたサイトに送信する手段と、を含むことを特徴とするシステム。
【請求項３１】
請求項３０に記載のシステムにおいて、前記紙フォーマットは、前記消費者に関する個人情報と一つ以上の取引コードとを記録する紙のフォームを含むことを特徴とするシステム。
【請求項３２】
請求項３０に記載のシステムはさらに、
各消費者に発行されるバーコードの形式の取引コードの記録を含む手段を含み、前記紙フォーマットの前記割引金請求データは、前記消費者に発行された前記手段、または前記消費者に発行された前記手段のコピーを含み、
前記バーコードを読みとり、前記紙フォーマットの前記割引金請求データを電子フォーマットの割引金請求データに変換する手段を備えたことを特徴とするシステム。
【請求項３３】
それぞれが一定の価値を有した一つ以上の割引金申込みを満たした消費者により提出された製品販売用割引金請求を処理する方法ステップを実行する、機械により実行可能な命令のプログラムを有形に具現化した、機械により読み出し可能な、少なくとも一つのプログラム保存装置から構成されるコンピュータプログラムプロダクトにおいて、前記消費者は一つ以上の有効な取引で一つ以上の指定された製品を購入しており、各有効な取引は割り当てられた一つの取引コードを有し、前記方法ステップは、
（ａ）コンピュータ情報ネットワークに接続され、前記消費者にアクセス可能な指定されたサイトを提供するステップと、
（ｂ）前記指定されたサイトで前記割引金請求を受け取るステップと、ここで前記割引金請求は、（ｉ）有効な取引に対応する少なくとも一つの取引コードと、（ｉｉ）前記消費者に対応する識別情報と、を有し、
（ｃ）保存されたデータ記録として、前記少なくとも一つの取引コードと前記消費者に対応する前記識別情報を保存するステップと、
（ｄ）少なくとも一つの（ｉ）指定された製品が前記消費者により購入された前記有効な取引に対応する前記取引コードと、（ｉｉ）前記消費者により購入された各指定された製品ごとの識別と、を有した少なくとも一つの購買データ記録を含む電子ファイル伝送を受け取るステップと、
（ｅ）各保存されたデータ記録を、同一の取引コードを有した対応する購買データ記録と関連付けるステップと、
（ｆ）前記保存されたデータ記録と関連付けられた前記対応する購買データ記録を処理して前記割引金請求を確認するステップと、
（ｇ）請求された前記割引金申込みの前記価値の前記消費者への送金を処理するステップと、から構成されることを特徴とするコンピュータプログラムプロダクト。
【請求項３４】
請求項３３に記載のコンピュータプログラムプロダクトにおいて、前記ステップ（ｇ）は、小切手を発行する、スマートカードに入金する、銀行アカウントまたはクレジットカードに入金する、または小売業者ネットワークの加盟店で換金可能な金券を発行する、のいずれか一つの形式で前記消費者への送金を処理するステップを含むことを特徴とするコンピュータプログラムプロダクト。
【請求項３５】
消費者が少なくとも一つの指定された製品を購入する見返りに前記消費者に価値を送金する約束を含む、少なくとも一つの割引金申込みを満たした前記消費者により提出された製品販売用割引金請求を処理する方法において、前記消費者は、少なくとも一つの有効な取引で少なくとも一つの指定された製品を購入しており、各有効な取引には一つの取引コードが割り当てられており、
前記方法は、
（ａ）（ｉ）有効な取引に対応する少なくとも一つの取引コードと、（ｉｉ）前記消費者に対応する識別情報と、を含む前記割引金請求を前記消費者から受け取るステップと、
（ｂ）前記少なくとも一つの取引コードと前記消費者に対応する前記識別情報とを保存されたデータ記録としてコンピュータメモリに保存するステップと、
（ｃ）少なくとも（ｉ）少なくとも一つの指定された製品が前記消費者により購入された前記有効な取引に対応する取引コードと、（ｉｉ）前記消費者により購入された各指定された製品の識別と、を有した少なくとも一つの購買データ記録を含む電子ファイルを受け取り、コンピュータメモリに保存するステップと、
（ｄ）各保存されたデータ記録を、同じ取引コードを有する対応する購買データ記録に関連付けるステップと、
（ｅ）前記保存されたデータ記録と関連付けられた前記対応する購買データ記録を処理して各割引金請求を確認するステップと、
（ｆ）前記消費者に請求された各割引金申込みに対応する価値を送金するステップと、から構成されることを特徴とする方法。
【請求項３６】
請求項３５に記載の方法において、前記ステップ（ａ）で、コンピュータ情報ネットワークの指定されたサイトへの電子提出によるアクセスを介して、または電子メールの提出により、前記消費者から前記割引金請求を受け取ることを特徴とする方法。
【請求項３７】
請求項３５に記載の方法において、前記ステップ（ａ）で、電話により前記消費者から前記割引金請求を受け取ることを特徴とする方法。
【請求項３８】
請求項３５に記載の方法において、前記ステップ（ａ）で、郵便サービスにより配送される紙の提出により前記消費者から前記割引金請求を受け取ることを特徴とする方法。
【請求項３９】
請求項３５に記載の方法において、前記ステップ（ａ）で、クレジットカード、デビットカード、またはスマートカードの一つからなる、カード識別子を有した指定されたカードの使用により前記消費者から前記割引金請求を受け取り、前記消費者に対応する前記識別情報は、前記カード識別子であることを特徴とする方法。
【請求項４０】
請求項３５に記載の方法において、前記ステップ（ｆ）で、前記消費者に送金される価値は、現金、所定の製品の品目のいずれかを含むことを特徴とする方法。
【請求項４１】
複数の割引金申込みを満たした複数の消費者により提出された複数の製品販売用割引金請求を処理する方法において、各割引金申込みが指定された製品の購買の見返りに一定の価値を提供する申込みを含み、各消費者は有効な取引で小売業者ネットワークの加盟店から一つ以上の指定された製品を購入しており、各有効な取引には前記加盟店により取引コードが割り当てられており、
前記システムは、
コンピュータ情報ネットワークを介してアクセス可能な指定されたサイトと、
複数の消費者から電子フォーマットで割引金請求データを受け取る手段と、ここで各消費者の前記割引請求データは、少なくとも一つの取引コードと消費者識別子を含み、
前記割引金請求データを保存されたデータ記録として保存し、各有効な取引の購買データ記録から構成される電子ファイルを受け取って、保存する手段と、ここで各購買データ記録は取引コードを含み、
各保存されたデータ記録を、同じ取引コードを有した対応する購買データ記録と関連付け、各保存されたデータ記録と対応する購買データ記録を処理して各割引金請求を確認し、オプションで、各確認された割引金請求について不正チェックを行う手段と、
前記割引金請求の価値を各消費者に送金する手段と、から構成されることを特徴とするシステム。
【請求項４２】
複数の製品販売用割引金申込みを複数の消費者に提供するシステムにおいて、各割引金申込みが指定された製品の購買の見返りに一定の価値を提供する申込みを含み、
前記システムは、
複数の有効な取引を処理する手段と、各有効な取引は、一つ以上の指定された製品を消費者が購買することから構成され、前記手段は、各有効な取引を取引コードと関連付け、前記取引コードの記録を含む手段を各消費者に発行し、
電子ファイルを、割引金請求を受け取り処理する、コンピュータ情報ネットワークを介して消費者によりアクセス可能なシステムに伝送する手段と、ここで前記電子ファイルは、各有効な取引に関する購買データ記録を含み、各購買データ記録は取引コードを含み、から構成されるシステム。
【請求項４３】
それぞれが一定の価値を有し、一つ以上の指定された製品について提供された、一つ以上の割引金申込みを満たした消費者により提出された製品販売用割引金請求を処理する方法において、
前記方法は、
（ａ）コンピュータ情報ネットワークと接続し、前記消費者によりアクセス可能な指定されたサイトを提供するステップと、
（ｂ）前記割引金請求を前記指定されたサイトで受け取るステップと、ここで前記割引金請求は、少なくとも前記割引金申込みに応じて入力された前記消費者に対応する識別情報を含み、
（ｃ）保存されたデータ記録として（ｉ）前記消費者に対応する識別情報と、（ｉｉ）前記割引金請求に関する一つ以上の指定された製品に対応する識別情報を保存するステップと、
（ｄ）一つ以上の有効な取引で前記一つ以上の指定された製品の消費者の購買を処理するステップと、前記処理するステップは、前記消費者に対応する前記識別情報を受け取るステップを含み、
（ｅ）（ｉ）前記消費者に対応する前記識別情報と、（ｉｉ）前記消費者により購買された各指定された製品の識別と、を含む少なくとも一つの購買データ記録を含む電子ファイル伝送を受け取るステップと、
（ｆ）各保存されたデータ記録を、前記消費者に対応する同じ識別情報を有した一つ以上の対応する購買データ記録に関連付けるステップと、
（ｇ）前記保存されたデータ記録と関連付けられた前記対応する購買データ記録を処理して前記割引金請求を確認するステップと、
（ｈ）前記消費者に請求された前記割引金申込みの前記価値を送金するステップと、の連続したステップから構成されることを特徴とする方法。
【請求項４４】
請求項１に記載の方法はさらに、
前記ステップ（ａ）の後、前記ステップ（ｈ）の前に、前記指定されたサイトで前記消費者から前記割引金請求を解除する命令を受け取るステップを有することを特徴とする方法。